(57)【要約】【課題】容易に駆動ベルトの取り外し作業ができるローラコンベヤを提供する。【解決手段】ローラコンベヤ１は、搬送方向に並んで位置する複数のゾーンＺを構成する複数の搬送ローラ３を備える。ダイアフラム15により昇降する昇降支持体６を各ゾーンＺ毎に配置する。昇降支持体６には、複数の片持ちローラ21を片持ち状態に設ける。複数の片持ちローラ21には、昇降支持体６の上昇時に搬送ローラ３と接触してこの搬送ローラ３を回転させ昇降支持体６の下降時に搬送ローラ３から離れる無端状の駆動ベルト23を脱着可能に設ける。【選択図】図２
2008081216.tif 000002
【特許請求の範囲】
【請求項１】
複数の搬送ローラと、
これら複数の搬送ローラに対して昇降する昇降支持体と、
この昇降支持体によって片持ち状態に支持された複数の片持ちローラと、
これら複数の片持ちローラに脱着可能に取り付けられ、前記昇降支持体の上昇時に前記搬送ローラと接触して前記搬送ローラを回転させ、前記昇降支持体の下降時に前記搬送ローラから離れる無端状の駆動ベルトと
を備えることを特徴とするローラコンベヤ。
【請求項２】
複数の片持ちローラのローラ軸部の各先端部同士を連結する安全カバー体を備える
ことを特徴とする請求項１記載のローラコンベヤ。
【請求項３】
昇降支持体の昇降を案内する案内体を備える
ことを特徴とする請求項１または２記載のローラコンベヤ。
【発明の詳細な説明】
【技術分野】
【０００１】
本発明は、容易に駆動ベルトの取り外し作業ができるローラコンベヤに関するものである。
【背景技術】
【０００２】
従来、例えば搬送方向に並んで位置する複数のゾーンを構成する複数の搬送ローラと、各ゾーン毎に配置された昇降可能な昇降支持体と、この昇降支持体の両側板部によって両持ち状態に支持された複数のローラと、これら複数のローラに取り付けられ昇降支持体の上昇時に搬送ローラと接触してこの搬送ローラを回転させ昇降支持体の下降時に搬送ローラから離れる無端状の駆動ベルトとを備えるローラコンベヤが知られている（例えば、特許文献１参照）。
【特許文献１】特公平３−２５３６７号公報
【発明の開示】
【発明が解決しようとする課題】
【０００３】
しかしながら、上記従来のローラコンベヤでは、駆動ベルトを取り外す場合に、昇降支持体によって両持ち状態に支持された複数のローラをその昇降支持体から取り外さなければならず、駆動ベルトの取り外し作業に手間取るおそれがある。
【０００４】
本発明は、このような点に鑑みなされたもので、容易に駆動ベルトの取り外し作業ができるローラコンベヤを提供することを目的とする。
【課題を解決するための手段】
【０００５】
請求項１記載のローラコンベヤは、複数の搬送ローラと、これら複数の搬送ローラに対して昇降する昇降支持体と、この昇降支持体によって片持ち状態に支持された複数の片持ちローラと、これら複数の片持ちローラに脱着可能に取り付けられ、前記昇降支持体の上昇時に前記搬送ローラと接触して前記搬送ローラを回転させ、前記昇降支持体の下降時に前記搬送ローラから離れる無端状の駆動ベルトとを備えるものである。
【０００６】
請求項２記載のローラコンベヤは、請求項１記載のローラコンベヤにおいて、複数の片持ちローラのローラ軸部の各先端部同士を連結する安全カバー体を備えるものである。
【０００７】
請求項３記載のローラコンベヤは、請求項１または２記載のローラコンベヤにおいて、昇降支持体の昇降を案内する案内体を備えるものである。
【発明の効果】
【０００８】
請求項１に係る発明によれば、駆動ベルトを取り外す場合に、昇降支持体によって片持ち状態に支持された複数の片持ちローラをその昇降支持体から取り外す必要がないため、容易に駆動ベルトの取り外し作業ができる。
【０００９】
請求項２に係る発明によれば、複数の片持ちローラのローラ軸部の各先端部同士を連結する安全カバー体を備えるため、安全性および耐久性等が良好である。
【００１０】
請求項３に係る発明によれば、昇降支持体の昇降を案内する案内体を備えるため、昇降支持体をスムーズに昇降させることができる。
【発明を実施するための最良の形態】
【００１１】
本発明のローラコンベヤの一実施の形態を図面を参照して説明する。
【００１２】
図１ないし図５において、１はローラコンベヤで、このローラコンベヤ１は、物品（図示せず）を一時的に貯留できるベルト駆動式のゼロプレッシャアキュームコンベヤである。
【００１３】
ローラコンベヤ１は、所定距離を介して互いに離間対向する水平方向長手状の一対のコンベヤフレーム２を備えている。両コンベヤフレーム２間には、物品を搬送面４に載せて搬送する複数の搬送ローラ３が並設されている。複数の搬送ローラ３によって、搬送方向に並んで位置する複数のゾーンＺが構成されている。すなわち物品を搬送したり一時的に貯留したりする各ゾーンＺが複数の搬送ローラ３にてそれぞれ構成されている。両コンベヤフレームの長手方向両端部に位置する搬送ローラ３が搬送エンドローラ3aとなっている。搬送エンドローラ3aは、コンベヤフレーム２に対して工具不要で脱着可能である。
【００１４】
また、ローラコンベヤ１は、各ゾーンＺ毎に配置され対応する複数の搬送ローラ３に対して昇降する昇降可能な中間レール等の昇降支持体６と、各昇降支持体６を昇降させる昇降駆動手段７と、この昇降駆動手段７による各昇降支持体６の昇降を案内するレールガイド等の案内体８とを備えている。
【００１５】
昇降支持体６は、例えば断面略Ｌ字状のフレームで、搬送方向に沿って長手状で鉛直状の支持板部11と、支持板部11の長手方向両端側の下端部から内方つまりローラコンベヤ１の幅方向中央側に向って突出する水平板部12と、水平板部12の端部から下方に向って突出する挿入板部13とを有している。
【００１６】
昇降駆動手段７は、空気の供給により膨らむダイヤフラム15を有し、このダイヤフラム15には圧縮空気配管手段10が接続されている。また、案内体８は、上下に向って開口し昇降支持体６の挿入板部13を案内する案内孔部16を有している。案内体８は例えば易滑性の合成樹脂等にて形成されている。
【００１７】
ダイヤフラム15および案内体８は一対のコンベヤフレーム２のうちの一方のコンベヤフレーム２の内方に向って突出状の突出板部17上に設けられ、昇降支持体６の水平板部12がダイヤフラム15上に載置され、昇降支持体６の挿入板部13が案内体８の案内孔部16内にスライド可能に挿入されている。そして、昇降駆動手段７のダイヤフラム15が膨らむと昇降支持体６が案内体８の案内孔部16にて案内されながら上限位置まで上昇し、昇降駆動手段７のダイヤフラム15が縮むと昇降支持体６が案内体８の案内孔部16にて案内されながら下限位置まで下降する。
【００１８】
さらに、ローラコンベヤ１は、昇降支持体６の鉛直状の支持板部11によって片持ち状態に支持されローラ軸部31の基端部が昇降支持体６の支持板部11に取り付けられた複数の片持ちローラ（駆動ローラ等）21と、これら複数の片持ちローラ21に脱着可能に取り付けられ昇降支持体６の上昇時つまり昇降支持体６が上限位置まで上昇した状態時に対応するゾーンＺの搬送ローラ３の下面側と接触してこの搬送ローラ３を回転させ昇降支持体６の下降時つまり昇降支持体６が下限位置まで下降した状態時に対応するゾーンＺの搬送ローラ３から離れる回行可能な無端状の駆動ベルト23とを備えている。
【００１９】
駆動ベルト23は、全ゾーンＺに対応する各昇降支持体６にて支持された複数の片持ちローラ21と、搬送エンドローラ3aの下方に位置する両端のエンドローラ24とに掛け渡されている。また、駆動ベルト23は、エンドローラ24に近接して位置する支持ローラ25にて下方から支持されている。そして、駆動ベルト23は、ベルト駆動手段である駆動テークアップ手段（図示せず）にて所望の張力が付与されつつ駆動力を受けて所定方向に回行する。なお、エンドローラ24および支持ローラ25は、コンベヤフレーム２に対して工具不要で脱着可能である。
【００２０】
片持ちローラ21は、ローラコンベヤ１の幅方向に沿った水平方向に延びるローラ軸部31と、このローラ軸部31の外周側に回転可能に設けられた略円筒状のローラ筒部32とを有している。ローラ筒部32の軸方向両端外周側には環状凸部分33が形成されている。そして、片持ちローラ21のローラ軸部31の一端部である基端部は、昇降支持体６の支持板部11に等間隔をおいて形成された複数の孔部である軸取付部11aにナット等の固着具35にて固着されている。片持ちローラ21のローラ軸部31の他端部である先端部は、昇降支持体６の支持板部11と離間対向する細長板状の安全カバー体36に等間隔をおいて形成された複数の孔部である軸取付部36aにナット等の固着具37にて固着されている。すなわち複数本のローラ軸部31の各先端部同士が安全カバー体36にて一体に連結されている。図４に示されるように、安全カバー体36の下端部と昇降支持体６の水平板部12との間には隙間38がある。安全カバー体36の長さ寸法は昇降支持体６の支持板部11の長さ寸法と略同じである。
【００２１】
なお、昇降支持体６、昇降駆動手段７、案内体８、片持ちローラ21、駆動ベルト23、エンドローラ24、支持ローラ25および駆動テークアップ手段等にて、搬送ローラ３を回転させる回転駆動手段41が構成されている。この回転駆動手段41はローラコンベヤ１の幅方向一端側にこのローラコンベヤ１の搬送方向に沿って配置され、ローラコンベヤ１の幅方向他端側には搬送ローラ３の回転を停止させるブレーキ手段42がローラコンベヤ１の搬送方向に沿って配置されている。ブレーキ手段42は、搬送ローラ３に接離するブレーキパット、このブレーキパットを支持する昇降フレーム、この昇降フレームを昇降させるダイアフラム等にて構成されている。
【００２２】
次に、上記ローラコンベヤ１の作用等を説明する。
【００２３】
物品の搬送時には、図３に示すように、昇降駆動手段７のダイヤフラム15が膨らむことによって、昇降支持体６が片持ちローラ21と一体となって案内体８にて案内されながら上限位置まで上昇し、その結果、駆動ベルト23の対応する部位が片持ちローラ21にて持ち上げられて搬送ローラ３の下面側に押し付けられる。すると、対応するゾーンＺの複数の搬送ローラ３が、回行する駆動ベルト23から駆動力を受けて所定方向に回転し、物品がその回転する搬送ローラ３にて搬送される。
【００２４】
また、物品の貯留時には、図４に示すように、昇降駆動手段７のダイヤフラム15が縮むことによって、昇降支持体６が片持ちローラ21と一体となって案内体８にて案内されながら下限位置まで下降し、その結果、駆動ベルト23の対応する部位が片持ちローラ21とともに下降して搬送ローラ３から離れる。また同時に、ブレーキ手段42が作動して搬送ローラ３の回転を停止させ、こうして対応するゾーンＺの複数の搬送ローラ３上に物品が貯留される。
【００２５】
ここで、例えば駆動ベルト23の交換が必要になった場合、駆動テークアップ手段によるテークアップを緩めてから、搬送エンドローラ3aおよびエンドローラ24を工具を用いることなくコンベヤフレーム２から取り外す。
【００２６】
その後、図５に示すように、駆動ベルト23をローラコンベヤ１の幅方向に沿って内方に向けて移動させることによって、駆動ベルト23を片持ちローラ21から取り外す。
【００２７】
このようにローラコンベヤ１によれば、昇降支持体６の支持板部11によって片持ち状態（片端状態）に支持された複数の片持ちローラ21をその昇降支持体６の支持板部11から取り外す必要がなく、片持ちローラ21を取り付けた状態のまま、駆動ベルト23を取り外すことができるため、容易に駆動ベルト23の取り外し作業ができ、簡単に駆動ベルト23を交換できる。
【００２８】
また、複数の片持ちローラ21のローラ軸部31の基端部が昇降支持体６の支持板部11に固定して取り付けられ、複数の片持ちローラ21のローラ軸部31の先端部が安全カバー体36に固定して取り付けられているため、安全カバー体36にて片持ちローラ21が覆われて、安全性が良好であり、しかも、安全カバー体36でローラ軸部31の各先端部同士を連結しない構成に比べて、強度を向上でき、耐久性が良好である。
【００２９】
さらに、昇降支持体６の長手方向両端部の挿入板部13を案内する対をなす案内体８を備えるため、この案内体８によって昇降支持体６をスムーズに昇降させることができる。
【００３０】
なお、１つの昇降支持体６の支持板部11にて片持ち状態に支持される片持ちローラ21の数は、６個には限定されず、任意である。
【００３１】
また、複数本のローラ軸部31の先端部同士を安全カバー体36にて連結した構成には限定されず、安全カバー体36を備えず、複数本のローラ軸部31の先端部が自由端部である構成等でもよい。
【図面の簡単な説明】
【００３２】
【図１】本発明の一実施の形態に係るローラコンベヤの部分平面図である。
【図２】同上ローラコンベヤの部分側面図である。
【図３】同上ローラコンベヤによる物品搬送時の部分断面図である。
【図４】同上ローラコンベヤによる物品貯留時の部分断面図である。
【図５】同上ローラコンベヤによるベルト交換時の部分断面図である。
【符号の説明】
【００３３】
１    ローラコンベヤ
３    搬送ローラ
６    昇降支持体
８    案内体
21    片持ちローラ
23    駆動ベルト
31    ローラ軸部
36    安全カバー体
【図１】
2008081216.tif 000003
【図２】
2008081216.tif 000004
【図３】
2008081216.tif 000005
【図４】
2008081216.tif 000006
【図５】
2008081216.tif 000007